(57)【要約】【課題】  クライアント端末側に大きな処理負荷をかけることなく複数のサービスを提供することができる情報配信システムを実現する。【解決手段】  複数のサービスサーバ２に代わって、複数のクライアント端末６に対して情報配信を行うゲートウェイ１を備え、ゲートウェイ１は、サービス要求を行うクライアント端末６に対し、複数のサービスサーバ２が保持するページへのアクセスを取り持つＳＳページアクセス部１３を有し、ＳＳページアクセス部１３は、クライアント端末よりサービス要求を受けた際に、クライアント端末６に代わって該当するサービスサーバ２へのアクセスが可能である場合に、アクセスを行い、該当するサービスの内容を示すページを受け取り、クライアント端末６にページ応答を返す。【選択図】    図２
2005250964.tif 000002
【特許請求の範囲】
【請求項１】
複数のクライアント端末と、該複数のクライアント端末に対してサービスを提供する複数のサービスサーバを有する情報配信システムにおいて、
前記複数のサービスサーバに代わって、前記複数のクライアント端末に対して情報配信を行うゲートウェイを備え、
前記ゲートウェイは、
サービス要求を行うクライアント端末に対し、前記複数のサービスサーバの保持するページへのアクセスを取り持つアクセス手段を有し、
前記アクセス手段は、クライアント端末よりサービス要求を受けた際に、クライアント端末に代わって該当するサービスサーバへのアクセスが可能である場合に、アクセスを行い、該当するサービスの内容を示すページを受け取り、クライアント端末にページ応答を返すことを特徴とする情報配信システム。
【請求項２】
前記ゲートウェイは、
利用者毎のサービス別利用状況を示すサービス利用状況テーブルと、各利用者がアクセス可能なサーバ側の動作種別を示すサービス別アクセス受付テーブルとを記憶する記憶手段を有し、
前記アクセス手段は、前記サービス利用状況テーブル及びサービス別アクセス受付テーブルを参照し、前記サービス要求をしたクライアント端末へのサービスの提供が可能である場合には、要求されたサービスへアクセスするためのＵＲＬを、前記複数のサービスサーバ側で提供するサービスを特定するサービス識別子と前記複数のサービスサーバのサービス別アクセス受付可能動作種別に基づいて生成し、該ＵＲＬにより該当するサービスサーバにアクセスすることを特徴とする請求項１に記載の情報配信システム。
【請求項３】
複数のクライアント端末と、該複数のクライアント端末に対してサービスを提供する複数のサービスサーバと、前記複数のサービスサーバに代わって、前記複数のクライアント端末に対して情報配信を行うゲートウェイとを有する情報配信システムにおける情報配信方法であって、
前記ゲートウェイにより、利用者が特定のサービスを受ける場合に、予め、利用者のサービス契約状況を登録する第１のステップと、
前記ゲートウェイにより、サービスを提供する前記複数のサービスサーバがクライアント端末からのアクセスを受付可能とする各種動作種別を事前に登録する第２のステップと、
前記ゲートウェイは、前記クライアント端末より、サービスの利用要求が有った際に、サービスが可能である場合には、要求されたサービスへアクセスするためのＵＲＬを、前記複数のサービスサーバ側で提供するサービスを特定するサービス識別子と前記複数のサービスサーバのサービス別アクセス受付可能動作種別に基づいて生成する第３のステップと、
前記生成されたＵＲＬにより該当するサービスサーバにアクセスすることにより、クライアント端末の表示部の画面に表示する第４のステップと、
を有することを特徴とする情報配信方法。
【発明の詳細な説明】
【技術分野】
【０００１】
本発明は、移動端末を含む複数のクライアント端末と、該複数のクライアント端末に対してサービスを提供する複数のサービスサーバを有するマルチクライアント/マルチサーバ型の情報配信システム及びその情報配信方法に関する。
【背景技術】
【０００２】
従来から、センターシステムからのトリガーで、移動体端末等のクライアントに対して情報を送信する、いわゆるプッシュ型情報配信システムが知られている(特許文献１参照)。
【特許文献１】特開２００２−１４９６８８号公報
【発明の開示】
【発明が解決しようとする課題】
【０００３】
特許文献１に記載のプッシュ型情報配信システムでは、情報を配信するコンテンツプロバイダは自身が持つコンテンツを提供するのみであり、各利用者が複数の情報提供サービスを同時に利用するためには、クライアント端末側で、サーバアクセス先やアクセス条件、サービス利用条件などをサービスの種別ごとに設定・管理する必要があり、クライアント端末側の処理負荷が大きくなるという問題がある。
【０００４】
本発明は、このような事情に鑑みてなされたものであり、クライアント端末側に大きな処理負荷をかけることなく複数のサービスを提供することができる情報配信システムを実現することを目的とする。
【課題を解決するための手段】
【０００５】
上記目的を達成するために請求項１に記載の発明は、複数のクライアント端末と、該複数のクライアント端末に対してサービスを提供する複数のサービスサーバを有する情報配信システムにおいて、前記複数のサービスサーバに代わって、前記複数のクライアント端末に対して情報配信を行うゲートウェイを備え、前記ゲートウェイは、サービス要求を行うクライアント端末に対し、前記複数のサービスサーバの保持するページへのアクセスを取り持つアクセス手段を有し、前記アクセス手段は、クライアント端末よりサービス要求を受けた際に、クライアント端末に代わって該当するサービスサーバへのアクセスが可能である場合に、アクセスを行い、該当するサービスの内容を示すページを受け取り、クライアント端末にページ応答を返すことを特徴とする。
【０００６】
また、請求項２に記載の発明は、請求項１に記載の情報配信システムにおいて、前記ゲートウェイは、利用者毎のサービス別利用状況を示すサービス利用状況テーブルと、各利用者がアクセス可能なサーバ側の動作種別を示すサービス別アクセス受付テーブルとを記憶する記憶手段を有し、前記アクセス手段は、前記サービス利用状況テーブル及びサービス別アクセス受付テーブルを参照し、前記サービス要求をしたクライアント端末へのサービスの提供が可能である場合には、要求されたサービスへアクセスするためのＵＲＬを、前記複数のサービスサーバ側で提供するサービスを特定するサービス識別子と前記複数のサービスサーバのサービス別アクセス受付可能動作種別に基づいて生成し、該ＵＲＬにより該当するサービスサーバにアクセスすることを特徴とする。
【０００７】
また、請求項３に記載の発明は、複数のクライアント端末と、該複数のクライアント端末に対してサービスを提供する複数のサービスサーバと、前記複数のサービスサーバに代わって、前記複数のクライアント端末に対して情報配信を行うゲートウェイとを有する情報配信システムにおける情報配信方法であって、前記ゲートウェイにより、利用者が特定のサービスを受ける場合に、予め、利用者のサービス契約状況を登録する第１のステップと、前記ゲートウェイにより、サービスを提供する前記複数のサービスサーバがクライアント端末からのアクセスを受付可能とする各種動作種別を事前に登録する第２のステップと、前記ゲートウェイは、前記クライアント端末より、サービスの利用要求が有った際に、サービスが可能である場合には、要求されたサービスへアクセスするためのＵＲＬを、前記複数のサービスサーバ側で提供するサービスを特定するサービス識別子と前記複数のサービスサーバのサービス別アクセス受付可能動作種別に基づいて生成する第３のステップと、前記生成されたＵＲＬにより該当するサービスサーバにアクセスすることにより、クライアント端末の表示部の画面に表示する第４のステップとを有することを特徴とする。
【発明の効果】
【０００８】
以上説明したように、本発明によれば、クライアント端末側に大きな処理負荷をかけることなく複数のサービスを提供することができる情報配信システムを実現することができる。
クライアント端末では、サービスサーバの種別、駆動状態、サービス利用状況を管理する必要が無いため、保有機能が最小限で済み、処理負荷を抑えることが可能になるという効果が得られる。
また、ゲートウェイ側にユーザ認証等の機能を持つことにより、サービスサーバ側では、ユーザ管理に基づく処理負荷を低減できるという効果が得られる。
【発明を実施するための最良の形態】
【０００９】
以下、本発明の実施形態を、図面を参照して詳細に説明する。  以下、本発明の実施形態に係る情報配信システムの概略構成を図１に示す。同図において、本発明の実施形態に係る情報配信システムは、情報配信処理を行うゲートウェイを有し、該ゲートウェイ１は、ネットワーク３を介して、各種のサービスを利用者に提供する複数のサービスサーバ２に接続されている。
また、ゲートウェイ１は、インターネット４を介して、移動通信網５に接続されている。移動通信網５は、クライアント端末６との間で通信を確立する。クライアント端末６は、複数、存在するが、図１では、便宜上、省略してある。
【００１０】
次に、上記構成からなる情報配信システムの動作を簡単に説明する。まず、利用者がサービス開始をする前に個人プロファイルの設定を行う。この個人プロファイルの設定において、配信してほしいコンテンツのジャンルを設定・変更をする。コンテンツのジャンルとは、具体的には、例えば、飲食、ショッピング、娯楽、という大きなジャンルや、和食・洋食・中華のレストラン、コンビニ、カー用品、花屋さん、ホテル、観光スポット、映画館、といったものが考えられる。
【００１１】
個人プロファイルの設定が行われた後にクライアント端末６からサービスの開始を指示するとログイン、コンテンツ配信要求が実行される。クライアント端末６を搭載した移動体（自動車）の移動に合わせて、クライアント端末６から移動体情報（位置情報、速度情報）をゲートウェイ１に送信する。
クライアント端末６からゲートウェイ１への移動体情報の送信のトリガーとして、地図上を仮想のメッシュで分割されており、移動体（自動車）がこの仮想メッシュを横切るタイミングで移動体情報（位置情報、速度情報等）をゲートウェイ１へ送信される。
【００１２】
ゲートウェイ１は、コンテンツを保持しサービスを提供するサービスサーバ２へ、移動体情報とサービスレベル（たとえば、利用者の位置情報の開示度レベルに基づく、コンテンツの検索領域の大きさなど）を送信する。
サービスサーバ２のページアクセス動作の詳細については後述する。サービスサーバ２は、移動体情報とサービスレベルを元にコンテンツを検索し、ゲートウェイ１へ送信する。あるいは、サービスサーバ２は、予め設定された時間間隔や時刻というスケジュールに基づき、ゲートウェイ１にコンテンツを送信する。
【００１３】
ゲートウェイ１は複数のサービスサーバから受け取った配信コンテンツをユーザごとに整理し、クライアント端末６に配信する。
次にゲートウェイ１、サービスサーバ２、クライアント端末６の具体的構成を図２に示す。同図において、クライアント端末６は、情報受信部６１と、情報送信部６２とを有している。
【００１４】
ゲートウェイ１は、クライアント端末６の情報送信部６２からの要求を受付、必要な処理を行い、あるいは外部に処理要求を送信し、クライアント端末６の情報受信部６１へ返却する結果を生成し送信する端末GW層１１と、サービスサーバ２からの情報配信要求を受付、端末GW層１１へ情報配信要求を送信するサービスサーバGW層１６からなる。
【００１５】
端末GW層１１は、クライアント端末６からの要求や位置情報などのセンサ情報のアップリンクを受付け、理解し、必要な処理を起動する要求受付部１２と、サービスサーバ２の保持するページペのアクセスを取りもつSS（サービスサーバ）ページアクセス部１３と、サービスサーバGW層１６からの情報配信要求を受付け、端末種別に応じて変換を施した後、クライアント端末６へと情報配信する配信制御部１４と、個々のクライアント端末６を管理する端末管理データベース１５とを有している。
【００１６】
サービスサーバGW層１６は、サービスサーバ２からの情報配信要求を受付け、端末GW層１１へと伝送する配信受付部１７と、サービスサーバ２を管理するSS（サービスサーバ）管理データベース１８とを有している。
サービスサーバ２は、端末GW層１１からの要求に対する画面の返送処理や、端末GW層１１から受信したアップリンク情報の受付処理、および必要な処理を実行するサービス管理部２１と、配信コンテンツを取得しサービスサーバGW層１６ヘ配信要求を送信する配信管理部２２と、情報提供者端末７からの登録要求を受け付ける登録受付部２３と、配信コンテンツを保持する配信情報データベース２４とを有している。
【００１７】
次にサービスサーバ２へのページアクセス動作を図３を参照して説明する。サービスサーバ２はサービスに特化した設定情報の操作画面など、サービス固有の画面を保持する。たとえば、配信コンテンツのジャンル設定といった、個人プロファイル情報操作画面などである。
クライアント端末６は、端末GW層１１のＳＳページアクセス部１３に対して、サービスサーバ２のページを要求する（ステップＳ３１）。
【００１８】
ＳＳページアクセス部１３は、クライアント端末６に代わってサービスサーバ２にページを要求（ステップＳ３２）し、その結果を受け取る（ステップＳ３３）。
ＳＳページアクセス部１３は、端末管理データベース１５により各クライアント端末６に固有の情報を受け取り、クライアント端末６に合わせた変換を施した後、クライアント端末６へページ応答を返す（ステップＳ３４）。
【００１９】
サービスサーバ２に要求するページのＵＲＬは、端末管理データベース１５に格納されたサービス利用状況テーブルと、サービスサーバ管理データベース１８に格納されたサービス別アクセス受付テーブルヘの参照と、クライアントから利用要求されたサービス識別子、およびコマンド名称に基づいて、生成される。
【００２０】
図５にサービス利用状況テーブルを示す。サービス利用状況テーブルには、利用者ごとのサービス別ログインログアウト状況（上段）、およびサービスレベル（下段）が記載されている。サービスレベルは、サービス利用の契約時に設定される。
図６にサービス別アクセス受付テーブルを示す。サービス別アクセス受付テーブルには、各利用者がアクセス可能なサーバ側の動作種別（ログイン、ログアウト、プロファイル操作、サービスレベル別コンテンツ要求など）を予め記載しておく。
【００２１】
次に、ログイン要求に伴う画面ＵＲＬの生成について説明する。ログイン要求は、クライアントＩＤ、サービス識別子、ログインコマンドを伴って実行される。
クライアント端末６からログイン要求があった場合、端末ＧＷ層１１では、当該クライアント端末６のサービス別アクセス受付テーブルにより、ログイン要求されたサービスのサービス識別子が既に登録され、かつログイン受付可能であることを確認し、さらに、ロダイン要求されたサービスヘのログイン受付画面ＵＲＬを、“http://”と、“サービス識別子”と、コマンド名称“login”と、“．html”とを組合わせることにより生成する。
【００２２】
サービス別アクセス受付テーブルに要求されたサービス識別子が無ければ、端末GW層１１からクライアント端末６に対して、要求受付不可のメッセージ画面を送信する。図４において、ログイン時のページ要求に伴うコマンドとＵＲＬに関するフローを図示する。
【００２３】
次にコンテンツ配信要求に伴う画面ＵＲＬの生成について説明する。コンテンツ配信要求は、クライアントＩＤ、サービス識別子、コンテンツ配信要求コマンドを伴って実行される。
クライアント端末６からコンテンツ配信要求があった場合、端末GW層１１では、サービス利用状況テーブルにて当該クライアント端末６が要求されたサービスに現在ログイン中であることと、現在ログイン中の他のサービスを確認する。
【００２４】
他のサービスヘログインしていなければ、当該クライアントのサービス別アクセス受付テーブルに要求サービスのサービス識別子が既に登録され、かつコンテンツ要求受付可能であることを確認し、さらに、要求されたサービスヘのログイン受付画面ＵＲＬを、“http://”と、“サービス識別子”とコマンド名称“content-req”と“サービスレベル”と“.html”とを組合わせることにより生成する。
【００２５】
サービス利用状況テーブルにて他のサービスヘログイン中であることを確認した場合、ＵＲＬ生成時に利用するサービスレベルについては、次の通りとする。
すなわち、他のサービスで利用中のサービスレベルが、要求したサービスの受付可能サービスレベルに含まれている場合には、そのサービスレベルを用いてＵＲＬを生成する。
他のサービスで利用中のサービスレベルが、要求したサービスの受付可能サービスレベルに含まれていない場合には、端末ＧＷ層１１からクライアントクライアント端末６に対して、要求受付不可のメッセージ画面を送信する。
【００２６】
次に、個人プロファイル操作要求に伴う画面ＵＲＬの生成について説明する。個人プロファイル操作要求は、クライアントＩＤ、サービス識別子、個人プロファイル操作要求コマンドを伴って実行される。
クライアント端末６から個人プロファイル操作要求があった場合、端末ＧＷ層１１では、サービス利用状況テーブルにて当該クライアント端末６が要求されたサービスに現在ログイン中であることを確認し、当該クライアント端末６のサービス別アクセス受付テーブルにより、要求サービスのサービス識別子が既に登録され、かつ個人プロファイル操作要求受付可能であることを確認する。
【００２７】
さらに、クライアント端末６から要求されたサービスヘのログイン受付画面ＵＲＬを、“http://”と、“サービス識別子”と、コマンド名称“profile-req”と、“.html”とを組合せることにより生成する。
サービス利用状況テーブル、あるいはサービス別アクセス受付テーブルに要求されたサービスのサービス識別子が無ければ、端末ＧＷ層１１からクライアント端末６に対して、要求受付不可のメッセージ画面を送信する。
【図面の簡単な説明】
【００２８】
【図１】本発明の実施形態に係る情報配信システムの概略構成図。
【図２】図１に示した本発明の実施形態に係る情報配信システムの具体的構成を示すブロック図。
【図３】サービスサーバに対するページアクセス処理の流れを示す図。
【図４】ログイン時のページ要求に伴うコマンドとＵＲＬに関する処理の流れを示す図。
【図５】ゲートウェイが有するクライアント側サービス利用状況テーブルの内容を示す図。
【図６】ゲートウェイが有するサービス別アクセス受付テーブルの内容を示す図。
【符号の説明】
【００２９】
１…ゲートウェイ
２…サービスサーバ
６…クライアント端末
１１…端末ＧＷ層
１３…ＳＳページアクセス部
１６…サービスサーバＧＷ層
【図１】
2005250964.tif 000003
【図２】
2005250964.tif 000004
【図３】
2005250964.tif 000005
【図４】
2005250964.tif 000006
【図５】
2005250964.tif 000007
【図６】
2005250964.tif 000008